【事件の表示】
　平成　６年特許願第１６２６４０号「マシンおよび装置のセッティング・パラメータの変更方法および変更用デバイス」拒絶査定不服審判事件〔平成　７年　１月２４日出願公開、特開平　７−　２１３３２〕について、次のとおり審決する。
【結　論】
　本件審判の請求は、成り立たない。
【理　由】
（手続の経緯、本件発明）
　本願は、平成６年６月２１日（パリ条約による優先権主張１９９３年６月１２日、ドイツ）の出願であって、その請求項１乃至６に係るそれぞれの発明は、平成１３年４月２６日付け、平成１４年４月１２日付けの各手続補正書により補正された明細書及び図面の記載からみて、その特許請求の範囲に記載されたとおりのものであるところ、その請求項５に係る発明（以下、本件発明という。）は、次のとおりのものである。
「装置の動作条件を決定するためのデバイスであって、
　セッティング・パラメータの値を変更するためのユーザ・フォームであって、装置の現在の動作条件を決定するセッティング・パラメータの値を表示する第１のマークが、ユーザが装置の現在の動作条件を読み取りおよび解釈するのが容易であるように、その上に直接作成されるユーザ・フォームを、薄層媒体上に作成するプリント手段と、
　光ビームを発し、反射された光ビームを検出し、前記薄層媒体につけられた、ユーザが定めた第２のマークを読み取る光学読み取りヘッドと、
　光読み取りヘッドに応答して、薄層媒体上で読み取られた第２のマークにしたがって、装置の動作条件を決定する、装置のセッティング・パラメータの値を変更するセッティング手段とを含むデバイス。」
（刊行物記載の発明）
　これに対し、原審において拒絶の理由に引用された特開平５−３５９３８号公報（以下、刊行物１という。）には、画像処理装置に関する発明が記載されており、「【０００４】・・・本発明はジョブコントロールシートに定義された機械の動作指示情報を基に原稿から読み取られる入力画情報に対して画像処理を施して出力画情報を得る画像処理装置において、前記ジョブコントロールシートの４隅に原稿とを区別する特定のマークや模様を点対称に配置し、該特定のマークや模様の属性を一部または全部異ならせたものである。」、「【０００６】・・・。図１はペーパーユーザインタフェースを用いた画像処理装置の制御回路のブロック図が示されている。ＣＰＵ１はＲＯＭ２内に格納されている制御プログラムを実行し、各種の入力装置からの入力画情報を基に画像処理を施して出力画情報を作成した後に本機の記録部（ＩＯＴ）５０またはネットワーク回線ＬＡＮを通じて他の画像処理装置あるいは電話回線を通じてＦＡＸに出力させる。ここで、入力画情報とは少なくともジョブコントロールシートに定義された機械の動作指示情報および原稿の画像情報を持っており、他にユーザのＩＤ情報を含めて構成される。また出力画情報とは原稿の出力画像情報の他に変更されたジョブコントロールシートの出力画像情報も含まれている。更に入力装置は本機のコントロールパネル、キーボード、マウス等のユーザインタフェース（ＵＩ）２０，自動原稿送り装置（ＡＤＦ）３０にセットされたジョブコントロールシートと原稿の束（以下、バッチと称す）の読み取りを行う画像読取り部（ＩＩＴ）４０およびその他ネットワーク回線や電話回線で本機に接続された他の画像処理装置（図示せず）によって構成される。」、「【０００７】　ジョブコントロールシートの入力画情報は、シリアルＩ／Ｏ（３），インタフェース（ＩＦ）４,５を介してＣＰＵ１に取り込み、原稿のセット方向などのシート検知マークからの情報および用紙サイズ、枚数、宛て先などのジョブの属性が認識され、確定したジョブの属性情報が当該ジョブのＩＤ情報と一緒にバックアップＲＡＭ６やメモリカード７に記憶される。同時にグラフィックコントローラ８が起動され、ＲＯＭ２に格納されたフォーマット生成タスクを実行してマルチプレクサ１４を通してデータバスに取り込まれた入力画情報あるいはインタフェース４，５、ゲート１５を介してデータバスに取り込まれた入力画情報を基に描画メモリ９上に作画すると共に、フォントＲＯＭ１０から文字を読み出して描画メモリ９に書き込んでジョブコントロールシートのイメージパターンを生成する。上記グラフィックコントローラ８の機能は原稿の入力画情報に対しても同一であって、描画メモリ上には原稿のイメージパターンを生成する。」、「【０００８】・・・。次にジョブコントロールシートについて説明する。図２は、ジョブコントロールシートのフォーマットが示されている。ジョブコントロールシート１００は、図２に示されるように、４隅でかつ点対称にシートの属性が異なるシート検知マーク１０１（ａ〜ｄ）が配置され、このマークの内側にジョブの属性をチェックする記入欄１０３を有するジョブコントロール指定部１０２（ａ,ｂ,…）が設けられている。　シート検知マーク１０１が４隅に配置されていることによりスキャン開始直後に識別でき、しかも点対称に配置されているため、どの方向からでもシートを読み取ることができる。各マークのシート属性にはスキャン方向を表す属性、例えば縦順方向、縦逆方向、横順方向および横逆方向などの情報を持たせている。」、「【００１４】　次にジョブコントロールシートの作用について説明する。ユーザが指定したいジョブをジョブコントロールシートのチェック欄に、例えば塗りつぶしやＸマークでチェックし、このジョブコントロールシートを図３に示すように原稿に重ねる。この原稿の束を原稿送り装置（ＡＤＦ）にセットすると、ジョブコントロールシートから画像読取り部（ＩＩＴ）に送られる。画像読取り部は原稿またはジョブコントロールシートの画像を電気信号、すなわち入力画情報に変換する。この入力画情報はマルチプレクサを通して描画メモリに記録されると共に、ＣＰＵでは入力画情報からシート検知マークを識別すると、現在スキャンしている画像はジョブコントロールシートであると判断し、ジョブコントロールシートのジョブ内容の認識処理を実行する。尚、ジョブ内容認識処理はジョブコントロールシート以外の原稿のときには実行しない。」と説明されている。
（対比）
　本件発明と上記刊行物１記載の発明とを対比すると、
(a)上記刊行物１記載の発明は画像読取り部４０を備えているところ、画像読取手段が、光ビーム発生手段及び光ビーム検出手段を備え、光ビーム発生手段からの光ビームをマークの付された媒体に照射し、そこで反射された光ビームを光ビーム検出手段で検出するといった本件出願前普通に知られたことであるから、本件発明が、光ビームを発し、反射された光ビームを検出し、薄層媒体につけられた、ユーザが定めた第２のマークを読み取る光学読み取りヘッドを備えるとする点は、上記刊行物１記載の発明との実質的な差異には当たらない。
(b)上記刊行物１にはジョブコンロールシートが記載されており、本件発明のセッティング・パラメータの値を変更するためのユーザ・フォームと実質的な差異はない。
　そして、上記刊行物１記載の発明においては、ジョブコンロールシートを読み取り、そのジョブコンロールシート中の機械の動作指示方法等の属性情報を確定、記憶して以降の処理を行うようにしており、本件発明が、薄層媒体上で読み取られた第２のマークにしたがって、装置の動作条件を決定する、装置のセッティング・パラメータの値を変更するセッティング手段とを含むとする点と実質的な差異はない。
　したがって、本件発明と上記刊行物１記載の発明とは、次の点で相違し、その余では一致する。
　本件発明が、装置の現在の動作条件を決定するセッティング・パラメータの値を表示する第１のマークが、ユーザが装置の現在の動作条件を読み取りおよび解釈するのが容易であるように、その上に直接作成されるユーザ・フォームを、薄層媒体上に作成するプリント手段を含むとしているのに対し、上記刊行物１にはその点についての記載がない点
（相違点についての検討）
　しかるに、プリンタを備え、機器の設定に際して、以前に設定した設定内容を初期設定用紙にプリントしたり、同じフォーマットで且つチェック印のない未設定の初期設定用紙をプリントし、その用紙にチェック印を付して初期設定を行なうとすることは本件出願前普通に知られたことである（必要ならば、例えば、特開平４−１６３０７８号公報を参照されたい。）から、これを関連する技術分野に属する上記刊行物１記載の発明に適用し、本件発明のように、装置の現在の動作条件を決定するセッティング・パラメータの値を表示する第１のマークが、ユーザが装置の現在の動作条件を読み取りおよび解釈するのが容易であるように、その上に直接作成されるユーザ・フォームを、薄層媒体上に作成するプリント手段を含むとすることは、当業者が容易になし得ることにすぎない。
（まとめ）
  したがって、本件発明は、上記刊行物１記載の発明に基づき、周知技術を参酌して、当業者が容易に発明をすることができたものであるから、特許法第２９条第２項の規定により特許を受けることができない。
　
　よって、結論のとおり審決する。